(57)【要約】【課題】センシング情報に応じて照明設定を制御するシステムにおいて、システムの仕様変更、センサの追加などに柔軟に対応可能な技術を提供することを課題とする。【解決手段】照明ユニット１は、ＰＣ２と無線通信を行い、制御プログラム１０１を取得し、メモリ１４２に格納する。制御プログラム１０１は、センサ１５に対応したプログラムである。ＣＰＵ１４１は、制御プログラム１０１を実行し、センサ１５からセンシング情報を取得すると、センシング情報に応じた制御信号をＬＥＤドライバ１２に出力する。ＬＥＤ１１は、センシング情報に応じた設定で発光する。センシング情報に応じた照明設定を変更する場合には、ＰＣ２から更新後の制御プログラム１０１を受信し、メモリ１４２内の制御プログラム１０１を更新する。【選択図】図２
2011014430.tif 000002
【特許請求の範囲】
【請求項１】
照明装置と、
前記照明装置を制御するドライバと、
センサインタフェースと、
前記センサインタフェースに接続されたセンサから入力したセンシング情報に基づいて前記照明装置の制御を行うための制御プログラムを記憶するプログラム記憶部と、
前記センサインタフェースからセンシング情報を入力するとともに前記プログラム記憶部に格納された前記制御プログラムを実行し、センシング情報に対応した制御信号を前記ドライバに出力する演算処理装置と、
前記センサインタフェースに接続される前記センサに対応した前記制御プログラムを外部から入力する入力インタフェースと、
を含むことを特徴とする照明システム。
【請求項２】
請求項１に記載の照明システムにおいて、
前記入力インタフェースは、通信インタフェースを含むことを特徴とする照明システム。
【請求項３】
請求項１または請求項２に記載の照明システムにおいて、
前記入力インタフェースは、着脱可能な記憶媒体のインタフェースを含むことを特徴とする照明システム。
【請求項４】
請求項１ないし請求項３のいずれかに記載の照明システムにおいて、さらに、
追加センサを接続する追加センサインタフェース、
を備え、
前記演算処理装置は、
前記追加センサインタフェースからセンシング情報を入力するとともに前記プログラム記憶部に格納された追加制御プログラムを実行し、センシング情報に対応した制御信号を前記ドライバに出力する追加センサ制御部、
を含むことを特徴とする照明システム。
【請求項５】
請求項１ないし請求項４のいずれかに記載の照明システムにおいて、さらに、
前記制御プログラムに基づいて前記照明装置を制御した結果をログ情報として記憶するログ情報記憶部、
を備えることを特徴とする照明システム。
【発明の詳細な説明】
【技術分野】
【０００１】
本発明は、照明システムに関する。詳しくは、外部環境に応じた設定により照明装置を制御するシステムに関する。
【背景技術】
【０００２】
センサによって外部環境の状態を検知し、外部環境に応じた設定で照明装置を制御するシステムがある。たとえば、人体検知センサによって人体を検知したことに応答して、施設内の照明をＯＮにするシステムがある。施設内に人がいる場合だけ照明がＯＮされることで、消費電力を低減させる効果がある。あるいは、夜間、許可のない者の立ち入りが禁止されている施設内において、侵入者に対する警告を発するという効果がある。他にも照度センサによって周辺の照度を検知し、周辺が暗くなった時点で照明をＯＮにするシステムなどが提供されている。
【０００３】
これらシステムは、外部環境の状態を検知するセンサと、センサから入力する状態情報に応じて制御信号を出力する制御用ハードウェアと、制御信号に応じて照明装置を駆動するドライバＩＣなどから構成されている。センサが検知した外部環境の状態に応じて、どのように照明装置を制御するか、そのアルゴリズムは、制御用ハードウェアに実装されたロジック回路によって実現されている。
【０００４】
したがって、照明システムが利用される環境が変化した場合、センサが検知する特定の状態に対する照明装置の設定を変更したい場合、あるいは、照明システムの目的が変更した場合などは、変更された仕様にあわせたハードウェアを設計する必要がある。
【０００５】
下記特許文献１では、通信を利用して照明制御システムを設定することを可能としている。ハンドベルトプログラミング装置から通信機器に対して、ワイヤレス通信を利用して、照明制御システムを設定する命令信号が送信される。通信機器は、受信した命令信号に基づいて、照明装置やセンサなどの機器の設定を行う。
【先行技術文献】
【特許文献】
【０００６】
【特許文献１】特表２００８−５３３６６９号公報
【発明の概要】
【発明が解決しようとする課題】
【０００７】
センサから入力する状態情報に応じて制御信号を出力するロジックをハードウェアで実現している場合、仕様変更に対応するのに時間とコストがかかるという問題がある。
【０００８】
特許文献１では、通信を利用して機器の設定を行っているが、たとえば、出力レベルなどハードウェアの設定の一部を変更できるにすぎない。
【０００９】
本発明は前記問題点に鑑み、仕様変更に柔軟に対応できる照明システムを低コストで構築することを課題とする。
【課題を解決するための手段】
【００１０】
上記課題を解決するため、請求項１記載の照明システムは、照明装置と、前記照明装置を制御するドライバと、センサインタフェースと、前記センサインタフェースに接続されたセンサから入力したセンシング情報に基づいて前記照明装置の制御を行うための制御プログラムを記憶するプログラム記憶部と、前記センサインタフェースからセンシング情報を入力するとともに前記プログラム記憶部に格納された前記制御プログラムを実行し、センシング情報に対応した制御信号を前記ドライバに出力する演算処理装置と、前記センサインタフェースに接続される前記センサに対応した前記制御プログラムを外部から入力する入力インタフェースと、を含むことを特徴とする。
【００１１】
請求項２記載の発明は、請求項１に記載の照明システムにおいて、前記入力インタフェースは、通信インタフェースを含むことを特徴とする。
【００１２】
請求項３記載の発明は、請求項１または請求項２に記載の照明システムにおいて、前記入力インタフェースは、着脱可能な記憶媒体のインタフェースを含むことを特徴とする。
【００１３】
請求項４記載の発明は、請求項１ないし請求項３のいずれかに記載の照明システムにおいて、さらに、追加センサを接続する追加センサインタフェース、を備え、前記演算処理装置は、前記追加センサインタフェースからセンシング情報を入力するとともに前記プログラム記憶部に格納された追加制御プログラムを実行し、センシング情報に対応した制御信号を前記ドライバに出力する追加センサ制御部、を含むことを特徴とする。
【００１４】
請求項５記載の発明は、請求項１ないし請求項４のいずれかに記載の照明システムにおいて、さらに、前記制御プログラムに基づいて前記照明装置を制御した結果をログ情報として記憶するログ情報記憶部、を備えることを特徴とする。
【発明の効果】
【００１５】
本発明の照明システムは、センシング情報に基づいて照明装置の制御を行うための制御プログラムがプログラム記憶部に記憶されており、演算処理装置は、センシング情報を入力するとともに制御プログラムを実行し、センシング情報に対応した制御信号を照明装置のドライバに出力する。照明システムは、制御プログラムを外部から入力する入力インタフェースを含むので、センシング情報に応じた照明制御を変更するためには、制御プログラムを更新するだけでよい。ハードウェアロジック回路の変更などが不要であり、照明システムの仕様変更にかかる時間とコストを低減させることができる。
【００１６】
また、センシング情報に対する照明設定の変更のみならず、新たなセンサが追加されるようなシステム変更に対しても、優れた効果を発揮する。照明システムは、新たに追加されたセンサ対応した制御プログラムをプログラム記憶部に格納することで、新たに追加されたセンサから出力されたセンシング情報に基づいて照明装置の設定を制御することができる。将来、新しいセンサが開発されたようなケースでも、新規のセンサと所望する制御動作を照明システムに組み込むことが容易である。
【図面の簡単な説明】
【００１７】
【図１】照明システムのメンテナンス作業の様子を示す図である。
【図２】照明システムのブロック図である。
【図３】追加センサが追加された照明システムのブロック図である。
【発明を実施するための形態】
【００１８】
｛１．照明システムの概略説明｝
以下、図面を参照しつつ本発明の実施の形態にかかる照明システムについて説明する。実施の形態にかかる照明システムは、ＬＥＤ照明装置とセンサなどが一体となった照明ユニット１と、照明ユニット１をメンテナンスするためのパーソナルコンピュータ（以下、ＰＣ）２などを備えて構成される。
【００１９】
図１は、駐車場内に設置された照明システムを示す図である。駐車場内にはポールが設置され、ポールの上部には照明ユニット１が取り付けられている。照明ユニット１は、各種のセンサからセンシング情報を入力し、センシング情報に応じて照明装置の設定を制御することができる。
【００２０】
一例として、照明ユニット１は、夜間、人体検知センサから人体の検知情報を入力すると、１００％の出力で照明装置を点灯させ、駐車場内を明るくする。そして、人体の検知情報を入力しなくなった時点で、駐車場内を５０％の明るさに落とすことで、消費電力を低減させる。このように、必要に応じて照明出力を制御することで、環境にやさしい照明システムを構築することができる。
【００２１】
別の例として、照明ユニット１は、照度センサから駐車場内の照度を検知し、一定の照度以上の場合は駐車場内の照明を減光する。そして、一定の照度未満になった場合には、駐車場内の照明の強度を上げる。これにより、駐車場内の照度を一定に維持しつつ、消費電力を低減させることができる。
【００２２】
図１には、また、サービスマン３が描かれている。サービスマン３は、ＰＣ２を利用して、無線通信により、照明ユニット１をメンテナンスすることができる。メンテナンスの方法については、後で詳しく説明するが、本実施の形態においては、サービスマン３は、ＰＣ２と照明ユニット１との間で無線通信を行うことで、照明ユニット１を容易にメンテナンスできるようになっている。
【００２３】
｛２．照明ユニットの構成｝
次に、図２を参照しながら、照明ユニット１の構成について説明する。照明ユニット１は、ＬＥＤ（Ｌｉｇｈｔ  Ｅｍｉｔｔｉｎｇ  Ｄｉｏｄｅ）１１を備えている。本実施の形態においては、ＬＥＤ１１は、赤色ＬＥＤ１１Ｒ、緑色ＬＥＤ１１Ｇ、青色ＬＥＤ１１Ｂを備えている。照明装置としては、ＬＥＤに限らず、他の光源を利用してもよい。また、ＬＥＤとしては、ＲＧＢ３色のＬＥＤを用いるほか、色温度の異なる白色ＬＥＤを利用してもよい。
【００２４】
ＬＥＤ１１には、ＬＥＤドライバ１２が接続されている。ＬＥＤドライバ１２は、各ＬＥＤ１１Ｒ、１１Ｇ、１１Ｂの出力を個別に制御することのできる単数あるいは複数のＩＣで構成されるユニットである。ＬＥＤドライバ１２は、各ＬＥＤ１１Ｒ、１１Ｇ、１１Ｂの出力を個別に制御することで、様々な色を発光可能である。各ＬＥＤ１１Ｒ、１１Ｇ、１１Ｂは、それぞれ単数あるいは複数のＬＥＤ素子から構成されている。
【００２５】
ＬＥＤドライバ１２には、電源部１３１から電力が供給される。電源部１３１は、電源コネクタ１３２に接続されている。電源コネクタ１３２を商用電源に接続することで、ＬＥＤドライバ１２を含め、照明ユニット１が備える各装置に電力が供給される。
【００２６】
照明ユニット１は、照明ユニット１の全体制御を行う制御部１４を備える。制御部１４は、ＣＰＵ（Ｃｅｎｔｒａｌ  Ｐｒｏｃｅｓｓｉｎｇ  Ｕｎｉｔ）１４１、メモリ１４２、入出力コントローラ１４３、ＬＣＤ（Ｌｉｑｕｉｄ  Ｃｒｙｓｔａｌ  Ｄｉｓｐｌａｙ）ドライバ１４４、ＲＴＣ（Ｒｅａｌ  Ｔｉｍｅ  Ｃｌｏｃｋ）１４５を備える。
【００２７】
メモリ１４２には、制御プログラム１０１が格納されている。制御プログラム１０１は、ＬＥＤ１１を制御するためのプログラムである。制御プログラム１０１は、センサ１５が検知したセンシング情報に基づいてＬＥＤ１１を制御するためのプログラムである。ＣＰＵ１４１において制御プログラム１０１が実行されることにより、センシング情報に応じたＬＥＤ１１の制御が行われる。
【００２８】
メモリ１４２には、ログ作成プログラム１０２およびログデータ１０３が格納されている。制御プログラム１０１に基づいてＬＥＤ１１が制御されると、ログ作成プログラム１０２が、ＬＥＤ１１の制御記録をログデータ１０３としてメモリ１４２に保存する。
【００２９】
その他、図示はしていないが、メモリ１４２には、照明ユニット１のシステムチェックや通信制御を行うための初期プログラムなどの基本プログラムが格納されている。
【００３０】
メモリ１４２としては、書き換え可能なフラッシュメモリなどを利用することができる。後述するように、制御プログラム１０１は、照明システムの仕様変更などに応じて更新されることがある。書き換え可能なメモリ１４２に対して更新後の制御プログラムを書き込むことで、照明システムの動作を自由に変更することができる。照明ユニット１を制御するための基本プログラムは、別に設けられたＲＯＭに格納されてもよい。また、ログ作成プログラム１０２についても標準プログラムとしてＲＯＭに格納するようにしてもよい。これら各種のプログラムを格納するメモリをＣＰＵ１４１が備える構成であってもよい。
【００３１】
入出力コントローラ１４３は、ＣＰＵ１４１に接続されている。入出力コントローラ１４３は、また、センサ１５、センサコネクタ１６、無線ユニット１７、拡張コネクタ１８に接続されており、これら装置とＣＰＵ１４１間のデータの入出力を制御する。
【００３２】
センサ１５は、照明ユニット１にデフォルトで接続されているセンサである。前述した制御プログラム１０１は、センサ１５に対応したプログラムである。センサ１５として、たとえば、人体検知センサ、照度センサ、温度センサ、地震センサ、火災センサなどが利用される。
【００３３】
センサコネクタ１６には、各種の追加センサが接続される。追加されるセンサの種別は特に限定されるものではない。たとえば、デフォルトのセンサ１５として人体検知センサが取り付けられている状態において、あらたに照度センサを取り付けたい場合には、センサコネクタ１６に照度センサを取り付ければよい。
【００３４】
センサコネクタ１６に追加センサが取り付けられると、照明システムは、追加センサから入力したセンシング情報によっても照明設定を制御することになる。追加センサに対応した制御プログラムを新たにメモリ１４２に格納することで、照明ユニット１は、追加センサに対応した照明制御を行うことが可能となる。
【００３５】
無線ユニット１７は、ＰＣ２との間で無線通信を行う。本実施の形態においては、無線ユニット１７は、ＺｉｇＢｅｅを利用した通信を行う。無線通信としては、他にも赤外線通信や、ＩＥＥＥ８０２．１１などの無線ＬＡＮを利用することができる。照明ユニット１は、無線ユニット１７を利用することで、ＰＣ２の記憶部２１に格納されている制御プログラム１０１を取得することが可能である。
【００３６】
拡張コネクタ１８は、拡張デバイスを接続するためにコネクタである。拡張コネクタ１８には、照明ユニット１の機能を拡張するための装置などが接続される。あるいは、拡張コネクタ１８に通信ケーブルを接続し、通信ケーブルを介してＰＣ２と接続してもよい。たとえば、サービスマン３は、ＰＣ２と拡張コネクタ１８を通信ケーブルで接続することで、ＰＣ２から制御プログラム１０１を照明ユニット１に転送することができる。
【００３７】
ＬＣＤドライバ１４４には、ＬＣＤ１９が接続されている。ＬＣＤ１９は、たとえば、縦３ｃｍ、横１０ｃｍ程度の小型のモニタであり、照明ユニット１の各種の状態情報を表示可能としている。あるいは、ＣＰＵ１４１の出力ポートを用いて表示用ＬＥＤを点灯・点滅させることで、照明ユニット１の各種の状態情報を表示させるようにしてもよい。
【００３８】
｛３．センサと制御プログラムとの関係｝
上述したように、メモリ１４２にはＬＥＤ１１を制御するための制御プログラム１０１が格納されている。制御プログラム１０１は、センサ１５に対応したプログラムである。制御プログラム１０１は、センサ１５が検出したセンシング情報に基づいてＬＥＤ１１を制御するためのプログラムである。
【００３９】
たとえば、センサ１５が人体検知センサであるとする。センサ１５は、人体を検知すると人体の検知情報を入出力コントローラ１４３を介してＣＰＵ１４１に通知する。ＣＰＵ１４１では、制御プログラム１０１が実行しており、夜間、人体検知情報を入力すると、ＬＥＤ１１をたとえば１００％の出力で点灯させる制御信号を生成する。ＣＰＵ１４１で生成された制御信号は、ＬＥＤドライバ１２に対して出力され、ＬＥＤドライバ１２は、制御信号に基づいてＬＥＤ１１の制御を行う。これにより、ＬＥＤ１１が１００％の出力で点灯し、駐車場内が明るくなる。
【００４０】
時間が経過し、センサ１５が人体の検知情報を通知しなくなったとする。制御プログラム１０１は、人体を検知しなくなって１分が経過した時点で照明を５０％の出力に減光するアルゴリズムを有しているとする。ＣＰＵ１４１は、センサ１５からの人体検知情報を最後に取得してから１分が経過した時点で、ＬＥＤ１１を５０％に減光させる制御信号を送出する。このように、ＬＥＤ１１は、センシング情報に基づいて照明設定が変化するが、その動作は制御プログラム１０１により決定される。
【００４１】
センサコネクタ１６に新たな追加センサ４が接続されたとする。前述した制御プログラム１０１は、センサ１５に対応したプログラムである。そこで、図３に示すように、ＰＣ２の記憶部２１に追加センサ４用の制御プログラム１０５が用意される。サービスマン３は、無線通信により、制御プログラム１０５を照明ユニット１に転送する。転送された制御プログラム１０５は、メモリ１４２に格納される。
【００４２】
たとえば、追加センサ４が照度センサであるとする。追加センサ４は、駐車場内の照度を検知し、検知情報を入出力コントローラ１４３を介してＣＰＵ１４１に通知する。ＣＰＵ１４１において、制御プログラム１０５が実行しており、照度の検知情報を入力すると、照度に応じた制御信号を生成する。生成された制御信号により、ＬＥＤ１１の出力が制御される。
【００４３】
ＣＰＵ１４１は、制御プログラム１０５に基づき、たとえば、昼間の時間帯、駐車場内が充分に明るい照度を有している場合には、ＬＥＤ１１をＯＦＦにする制御信号を生成する。少し駐車場内が暗くなっている状態では、ＬＥＤ１１を５０％点灯させる制御信号を生成する。夕刻になり駐車場内が暗くなった場合には、ＬＥＤ１１を１００％点灯させる制御信号を生成する。ＣＰＵ１４１で生成された制御信号は、ＬＥＤドライバ１２に対して出力され、ＬＥＤドライバ１２は、制御信号に基づいてＬＥＤ１１の制御を行う。このように、ＬＥＤ１１は、センシング情報に基づいて照明設定が変化するが、その動作はセンサ１５に対応した制御プログラム１０１や、追加センサ４に対応した制御プログラム１０５により決定される。なお、説明を分かりやすくするために、追加センサ４による制御を行うために、制御プログラム１０５を新たに追加する形態として説明している。制御プログラム１０１に加えて制御プログラム１０５を動作させるという形態も考えられるが、センサ１５に加えて追加センサ４による制御を行うのであれば、両方のセンサに対応するよう制御プログラム１０１を修正するという方法でもよい。
【００４４】
｛４．照明システムの仕様変更の手順｝
ユーザから照明システムの照明設定を変更したいという要望が発生したとする。ユーザは、センサ１５として人体検知センサを利用し、照明システムを警告用システムとして利用している。現在は、人体を検知した場合に、ＬＥＤ１１を１００％の出力で点灯するよう制御している。しかし、ユーザは、より警告性を強めるため、人体を検知した場合には、０．１秒間隔でＬＥＤ１１を点滅させることを希望している。また、現在は、ＲＧＢの出力を調整して白色で点灯するように制御しているが、警告性を高めるため、赤色の点滅にしたいと希望している。
【００４５】
照明システムの提供元では、変更内容に応じてまず、制御プログラム１０１の修正を行う。つまり、人体検知情報を入力したことに応答して、ＬＥＤ１１を赤色点滅させるための制御信号を生成するよう制御プログラム１０１を修正する。制御プログラム１０１の修正は、既存の制御プログラムを利用して行われるので、比較的修正作業が容易である。
【００４６】
サービスマン３は、ＰＣ２に更新後の制御プログラム１０１をインストールした上で、照明ユニット１の設置場所へと向かう。サービスマン３は、駐車場内で照明ユニット１の近くに移動し、ＰＣ２から無線通信を利用して更新後の制御プログラム１０１を照明ユニット１に転送する。照明ユニット１では、メモリ１４２に格納されている制御プログラム１０１の更新が行われる。制御プログラム１０１の更新が正常に終了した場合には、ＬＣＤ１９がたとえば緑色に点灯する。これにより、サービスマン３は、更新作業が完了したことを確認することができる。制御プログラム１０１のアップデートにエラーが生じた場合には、たとえばＬＣＤ１９を赤色点滅させることで、エラーの発生をサービスマン３に通知することができる。
【００４７】
ユーザから照明システムに新たなセンサを追加したいとの要望が発生したとする。ユーザは、当初は、デフォルトで取り付けられている人体検知センサを利用して照明設定を制御している。ユーザは、さらに、照度センサを取りつけ、人体検知による制御とあわせて、照度に応じた照明設定の制御を行うことを希望している。また、施設内の雰囲気を変えるために、夜間の照明の色を暖色系に変更することを希望している。
【００４８】
照明システムの提供元では、追加センサ４、つまり照度センサに対応した制御プログラム１０５を作成する。制御プログラム１０５は、照度センサからの検知情報に基づいて照明設定を制御するプログラムである。あるいは、照明システムの提供元では、制御プログラム１０１の修正を行ってもよい。修正後の制御プログラム１０１は、人体検知センサからの検知情報と、照度センサからの検知情報とを取得し、２つの検知情報に基づいて照明設定を制御するプログラムである。
【００４９】
新規あるいは修正された制御プログラムが完成すれば、サービスマン３は、ＰＣ２に制御プログラムをインストールして照明ユニット１の設置場所へ向かう。サービスマン３は、照明ユニット１のセンサコネクタ１６に追加センサ４として照度センサを取り付ける。サービスマン３は、ＰＣ２から無線通信を利用して新規の制御プログラム１０５あるいは修正された制御プログラム１０１を照明ユニット１に転送する。追加センサ４を取り付ける作業を行う際に、照明ユニット１をポールから取り外す必要があるのであれば、ＰＣ２と照明ユニット１とを通信ケーブルで接続することで、更新後の制御プログラムを転送してもよい。
【００５０】
このように、本実施の形態の照明システムは、センシング情報に応じた照明設定がソフトウェアによって規定される。したがって、制御プログラム１０１を変更するだけで照明設定の変更を容易に行うことができる。ユーザの要望に応じて、照明装置の照度、発光パターンを自由に設定変更できる。本実施の形態であれば、ＲＧＢ３色のＬＥＤを利用しているので、ユーザの要望に応じて様々な色の光を発光することが可能であり、様々な照明パターンを演出することができる。
【００５１】
さらに、照明ユニット１は無線ユニット１７を有しているので、制御プログラム１０１の更新が容易である。従来であれば、センシング情報に応じた照明設定を変更するためには、ハードウェアのロジック回路を変更する必要があり、時間とコストが掛かっていた。本実施の形態の照明システムであれば、少ない時間とコストで照明設定を変更することができる。
【００５２】
｛５．ログデータの収集｝
前述したように、メモリ１４２には、ログ作成プログラム１０２が格納されている。ログ作成プログラム１０２は、ＣＰＵ１４１からＬＥＤ１１に出力された制御信号のログを記録するプログラムである。ログ作成プログラム１０２は、制御信号のログをログデータ１０３としてメモリ１４２に蓄積する。
【００５３】
ログデータ１０３を参照することで、ＬＥＤ１１をどんな出力で、どれだけの時間点灯させたかを知ることができる。また、ＣＰＵ１４１にはＲＴＣ１４５が接続されているので、ログ作成プログラム１０２は、ＬＥＤ１１に対して出力された制御信号のログを、信号発生時刻情報とともにログデータ１０３に記録する。これにより、時間帯別の照明ユニット１の稼動状態などを様々に分析することができる。
【００５４】
｛６．その他｝
上記実施の形態においては、照明ユニット１は、ＬＥＤ１１を含む照明装置、制御部１４を含む制御装置、およびセンサ１５を備えた一体型のユニットとして説明した。しかし、照明装置と制御装置を別のユニットで構成してもよい。制御装置をポールや壁の内側に収容し、照明装置をポールや壁に取り付ける形態であってもよい。また、上記の例では、デフォルトのセンサ１５はユニットに一体型となって取り付けられているが、別ユニットとして取り付けられてもよい。
【００５５】
上記実施の形態においては、照明ユニット１は、無線通信インタフェースあるいは有線通信インタフェースを介してＰＣ２から制御プログラムを取得した。これ以外にも、着脱可能なメモリ媒体を介して制御プログラムを転送するようにしてもよい。照明ユニット１が着脱可能なメモリ媒体のインタフェース（メモリスロット）を備え、制御プログラムが格納されたメモリ媒体を装着することで、制御プログラムのインストールを行う。
【００５６】
上記実施の形態においては、照明ユニット１が駐車場内に１台設置される場合を例に説明した。照明ユニット１は１台に限られず、複数配置されてもよい。たとえば、施設内に５〜１０台など多数の照明ユニット１を設置し、それぞれがセンシング情報に応じた照明制御を行うようにする。照明ユニット１は、それぞれ接続されたセンサに応じて動作する自律したユニットである。同じ施設内に多数の照明ユニット１が設置されている場合にも、設置場所の違いによって外部環境が異なれば、それぞれの照明ユニット１が異なる動作をする。あるいは、施設内の多数の照明ユニット１が同じ動作をするように、環境の差を吸収するよう制御プログラムを調整してもよい。
【符号の説明】
【００５７】
１    照明ユニット
２    ＰＣ
４    追加センサ
１１（１１Ｒ、１１Ｇ、１１Ｂ）    ＬＥＤ
１２    ＬＥＤドライバ
１４    制御部
１５    センサ
１６    センサコネクタ
１７    無線ユニット
１０１    制御プログラム
１０２    ログ作成プログラム
１０３    ログデータ
１０５    制御プログラム
１４１    ＣＰＵ
１４２    メモリ
【図１】
2011014430.tif 000003
【図２】
2011014430.tif 000004
【図３】
2011014430.tif 000005